(57)【要約】【課題】表示色の変更を円滑に行うことができる電気泳動表示装置などを提供する。【解決手段】互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、前記第１の電極に電圧を印加する制御部と、を備え、前記第１の電極は、画素ごとに複数の電極を有し、前記制御部は、前記画素ごとに、前記第１の電極が有する前記複数の電極のうちのいずれかの電極に前記粒子を偏在させた後に表示対象の色を表示させる制御を行う、電気泳動表示装置。【選択図】図１
2017187626.tif 000002
【特許請求の範囲】
【請求項１】
互いに対向させられた第１の基板および第２の基板と、
前記第１の基板に設けられた第１の電極と、
前記第２の基板に設けられた第２の電極と、
前記第１の基板と前記第２の基板との間に複数の領域を形成する領域形成部と、
前記第１の電極と前記第２の電極との間に設けられた粒子および分散媒を含む分散液と、
前記第１の電極に電圧を印加する制御部と、を備え、
前記第１の電極は、画素ごとに複数の電極を有し、
前記制御部は、前記画素ごとに、前記第１の電極が有する前記複数の電極のうちのいずれかの電極に前記粒子を偏在させた後に表示対象の色を表示させる制御を行う、
電気泳動表示装置。
【請求項２】
前記画素ごとに、前記第１の電極が、前記複数の電極として２個の電極を有する、
請求項１に記載の電気泳動表示装置。
【請求項３】
前記制御部は、前記第２の電極をフロート状態として、前記第１の電極が有する前記複数の電極のうちのいずれかの電極に前記粒子を偏在させる、
請求項１または請求項２のいずれか１項に記載の電気泳動表示装置。
【請求項４】
前記制御部は、前記第１の電極が有する前記複数の電極に、それぞれ異なる波形を有する電圧を印加する、
請求項１から請求項３のいずれか１項に記載の電気泳動表示装置。
【請求項５】
前記制御部は、表示の書き換えの開始時に、前記第１の電極が有する前記複数の電極に、それぞれ異なる波形を有する電圧を印加する、
請求項１から請求項４のいずれか１項に記載の電気泳動表示装置。
【請求項６】
前記画素ごとに、記憶回路と、前記複数の電極である一対の電極と、前記記憶回路の状態に応じて一方が導通し他方が遮断する一対の第１のスイッチ回路と、前記記憶回路の状態に応じて一方が導通し他方が遮断する一対の第２のスイッチ回路と、を備え、
前記一対の前記第１のスイッチ回路の一方の端子が共に前記一対の電極のうちの一方と接続され、他方の端子のそれぞれが第１の制御線と第２の制御線のそれぞれと接続されており、
前記一対の前記第２のスイッチ回路の一方の端子が共に前記一対の電極のうちの他方と接続され、他方の端子のそれぞれが第３の制御線と第４の制御線のそれぞれと接続されている、
請求項１から請求項５のいずれか１項に記載の電気泳動表示装置。
【請求項７】
前記第１の制御線と前記第２の制御線とのうちの一方と、前記第３の制御線と前記第４の制御線とのうちの一方とが共通である、
請求項６に記載の電気泳動表示装置。
【請求項８】
請求項１から請求項７のいずれか１項に記載の電気泳動表示装置を備える電子機器。
【請求項９】
互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、を備え、前記第１の電極は、画素ごとに複数の電極を有する電気泳動表示装置を制御する制御装置であって、
前記画素ごとに、前記第１の電極が有する前記複数の電極のうちのいずれかの電極に前記粒子を偏在させた後に表示対象の色を表示させる制御を行う、
制御装置。
【請求項１０】
互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、を備え、前記第１の電極は、画素ごとに複数の電極を有する電気泳動表示装置を駆動する駆動方法であって、
前記画素ごとに、前記第１の電極が有する前記複数の電極のうちのいずれかの電極に前記粒子を偏在させた後に表示対象の色を表示させる制御を行う、
駆動方法。
【発明の詳細な説明】
【技術分野】
【０００１】
本発明は、電気泳動表示装置、電子機器、制御装置および駆動方法に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている。
電気泳動表示装置は、帯電性および分散性を有する粒子が注入された溶媒（分散媒）に電圧を印加して、当該粒子を所定の電極の側に動かすことで、色および反射率が異なる粒子を分離させて、表示の内容を変えることができる。一例として、白に対応する粒子（白色粒子）および黒に対応する粒子（黒色粒子）を用いた白黒表示体では、一般に、白色粒子の光散乱を利用して白を表示させ、黒色粒子の光吸収性を利用して黒を表示させている。
【０００３】
ここで、電気泳動表示装置は、画素電極を含む基板（以下、「画素基板」という。）と対向電極を含む基板（以下、「対向基板」という。）との間に隔壁あるいはマイクロカプセルが設けられた構造を有する。当該隔壁あるいは当該マイクロカプセルにより、複数の画素領域（セル）が形成される。当該画素領域は、例えば、画素の単位となる。また、それぞれの画素領域に、粒子を分散媒に分散させた分散液（電気泳動材料）が充填される。
そして、画素ごとに、画素電極と対向電極との間に電圧が印加されることで、電場が発生し、これにより帯電した粒子が移動することで、表示の色が変化する。
【０００４】
このような隔壁型あるいはカプセル型の電気泳動表示装置の表示部（例えば、表示用パネル）では、画素電極と対向電極とが平行に対向させられて配置されており、隔壁あるいはマイクロカプセルの内部（画素領域）で均一な電場が形成される。
しかしながら、このような電圧の制御では、隔壁あるいはマイクロカプセルの内部に存在する同種の帯電した粒子（例えば、白色粒子、または、黒色粒子）はすべて同じ（均一な）速度で移動しようとする。ここで、粒子が移動するためには分散媒を排斥する必要があるが、同種の帯電した粒子が同じ速度で移動しようとするために拮抗状態となり、粒子の円滑な移動が妨げられて、粒子の移動が遅くなり、表示色の変更が遅くなる場合があった。
【先行技術文献】
【特許文献】
【０００５】
【特許文献１】特開２００８−２６８８５３号公報
【発明の概要】
【発明が解決しようとする課題】
【０００６】
上述のように、電気泳動表示装置における電圧の制御では、粒子の移動が遅くなり、表示色の変更が遅くなる場合があった。
【０００７】
本発明は、前記の点に鑑み為されたものであり、表示色の変更を円滑に行うことができる電気泳動表示装置、電子機器、制御装置および駆動方法を提供することを目的とする。
【課題を解決するための手段】
【０００８】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、前記第１の電極に電圧を印加する制御部と、を備え、前記第１の電極は、画素ごとに複数の電極を有し、前記制御部は、前記画素ごとに、前記第１の電極が有する前記複数の電極のうちのいずれかの電極に前記粒子を偏在させた後に表示対象の色を表示させる制御を行う、電気泳動表示装置である。
この構成により、電気泳動表示装置では、画素ごとに、第１の電極が有する複数の電極のうちのいずれかの電極に粒子を偏在させた後に表示対象の色を表示させる制御を行う。これにより、電気泳動表示装置では、所定の電極に粒子を偏在させて、表示色の変更を円滑に行うことができる。
【０００９】
また、本発明の一態様は、電気泳動表示装置において、前記画素ごとに、前記第１の電極が、前記複数の電極として２個の電極を有する、構成が用いられてもよい。
この構成により、電気泳動表示装置では、画素ごとに、第１の電極が、複数の電極として２個の電極を有する。これにより、電気泳動表示装置では、２個の電極のうちのいずれかの電極に粒子を偏在させて、表示色の変更を円滑に行うことができる。
【００１０】
また、本発明の一態様は、電気泳動表示装置において、前記制御部は、前記第２の電極をフロート状態として、前記第１の電極が有する前記複数の電極のうちのいずれかの電極に前記粒子を偏在させる、構成が用いられてもよい。
この構成により、電気泳動表示装置では、第２の電極をフロート状態として、第１の電極が有する複数の電極のうちのいずれかの電極に粒子を偏在させる。これにより、電気泳動表示装置では、所定の電極に粒子を偏在させて、表示色の変更を円滑に行うことができる。
【００１１】
また、本発明の一態様は、電気泳動表示装置において、前記制御部は、前記第１の電極が有する前記複数の電極に、それぞれ異なる波形を有する電圧を印加する、構成が用いられてもよい。
この構成により、電気泳動表示装置では、第１の電極が有する複数の電極に、それぞれ異なる波形を有する電圧を印加する。これにより、電気泳動表示装置では、所定の電極に粒子を偏在させて、表示色の変更を円滑に行うことができる。
【００１２】
また、本発明の一態様は、電気泳動表示装置において、前記制御部は、表示の書き換えの開始時に、前記第１の電極が有する前記複数の電極に、それぞれ異なる波形を有する電圧を印加する、構成が用いられてもよい。
この構成により、電気泳動表示装置では、表示の書き換えの開始時に、第１の電極が有する複数の電極に、それぞれ異なる波形を有する電圧を印加する。これにより、電気泳動表示装置では、表示の書き換えの開始時に所定の電極に粒子を偏在させて、表示色の変更を円滑に行うことができる。
【００１３】
また、本発明の一態様は、電気泳動表示装置において、前記画素ごとに、記憶回路と、前記複数の電極である一対の電極と、前記記憶回路の状態に応じて一方が導通し他方が遮断する一対の第１のスイッチ回路と、前記記憶回路の状態に応じて一方が導通し他方が遮断する一対の第２のスイッチ回路と、を備え、前記一対の前記第１のスイッチ回路の一方の端子が共に前記一対の電極のうちの一方と接続され、他方の端子のそれぞれが第１の制御線と第２の制御線のそれぞれと接続されており、前記一対の前記第２のスイッチ回路の一方の端子が共に前記一対の電極のうちの他方と接続され、他方の端子のそれぞれが第３の制御線と第４の制御線のそれぞれと接続されている、構成が用いられてもよい。
この構成により、電気泳動表示装置では、画素ごとに、一対の電極のうちの一方については第１の制御線と第２の制御線とをスイッチし、当該一対の電極のうちの他方については第３の制御線と第４の制御線とをスイッチする。これにより、電気泳動表示装置では、表示色の変更を円滑に行うための回路を実現することができる。
【００１４】
また、本発明の一態様は、電気泳動表示装置において、前記第１の制御線と前記第２の制御線とのうちの一方と、前記第３の制御線と前記第４の制御線とのうちの一方とが共通である、構成が用いられてもよい。
この構成により、電気泳動表示装置では、一対の電極のうちの一方における一方の制御線と、一対の電極のうちの他方における一方の制御線とが共通である。これにより、電気泳動表示装置では、回路を簡易化することができる。
【００１５】
上記課題の少なくとも一つを解決するために本発明の一態様は、上記のような電気泳動表示装置を備える電子機器である。
この構成により、電子機器では、電気泳動表示装置において、画素ごとに、第１の電極が有する複数の電極のうちのいずれかの電極に粒子を偏在させた後に表示対象の色を表示させる制御を行う。これにより、電子機器では、電気泳動表示装置において、所定の電極に粒子を偏在させて、表示色の変更を円滑に行うことができる。
【００１６】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、を備え、前記第１の電極は、画素ごとに複数の電極を有する電気泳動表示装置を制御する制御装置であって、前記画素ごとに、前記第１の電極が有する前記複数の電極のうちのいずれかの電極に前記粒子を偏在させた後に表示対象の色を表示させる制御を行う、制御装置である。
この構成により、制御装置では、電気泳動表示装置において、画素ごとに、第１の電極が有する複数の電極のうちのいずれかの電極に粒子を偏在させた後に表示対象の色を表示させる制御を行う。これにより、制御装置では、電気泳動表示装置において、所定の電極に粒子を偏在させて、表示色の変更を円滑に行うことができる。
【００１７】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の基板と前記第２の基板との間に複数の領域を形成する領域形成部と、前記第１の電極と前記第２の電極との間に設けられた粒子および分散媒を含む分散液と、を備え、前記第１の電極は、画素ごとに複数の電極を有する電気泳動表示装置を駆動する駆動方法であって、前記画素ごとに、前記第１の電極が有する前記複数の電極のうちのいずれかの電極に前記粒子を偏在させた後に表示対象の色を表示させる制御を行う、駆動方法である。
この構成により、制御方法では、電気泳動表示装置において、画素ごとに、第１の電極が有する複数の電極のうちのいずれかの電極に粒子を偏在させた後に表示対象の色を表示させる制御を行う。これにより、駆動方法では、電気泳動表示装置において、所定の電極に粒子を偏在させて、表示色の変更を円滑に行うことができる。
【００１８】
以上のように、本発明に係る電気泳動表示装置、電子機器、制御装置および駆動方法によれば、電気泳動表示装置において、画素ごとに、第１の電極が有する複数の電極のうちのいずれかの電極に粒子を偏在させた後に表示対象の色を表示させる制御を行う。これにより、本発明に係る電気泳動表示装置、電子機器、制御装置および駆動方法では、電気泳動表示装置において、所定の電極に粒子を偏在させて、表示色の変更を円滑に行うことができる。
【図面の簡単な説明】
【００１９】
【図１】本発明の一実施形態（第１実施形態）に係る電気泳動表示装置の概略的な構成例を示す図である。
【図２】本発明の一実施形態（第１実施形態）に係る電気泳動表示装置の表示部の構成例を示す図である。
【図３】本発明の一実施形態（第１実施形態）に係る画素回路の構成例を示す図である。
【図４】本発明の一実施形態（第１実施形態）に係る画素電極および対向電極に印加される電圧の一例を示す図である。
【図５】本発明の一実施形態（第１実施形態）に係る駆動単位期間における粒子の移動の一例を示す図である。
【図６】本発明の一実施形態（第１実施形態）に係る画素電極および対向電極に印加される電圧の他の一例を示す図である。
【図７】本発明の一実施形態（第１実施形態）に係る画素回路の他の構成例を示す図である。
【図８】本発明の一実施形態（第２実施形態の第１の例）に係る電子機器の概略的な構成例を示す図である。
【図９】本発明の一実施形態（第２実施形態の第２の例）に係る電子機器の概略的な構成例を示す図である。
【図１０】本発明の一実施形態（第２実施形態の第３の例）に係る電子機器の概略的な構成例を示す図である。
【図１１】対比技術に係る駆動単位期間における粒子の移動の一例を示す図である。
【図１２】対比技術に係る画素回路の構成例を示す図である。
【図１３】対比技術に係る画素電極および対向電極に印加される電圧の一例を示す図である。
【発明を実施するための形態】
【００２０】
本発明の実施形態について図面を参照して詳細に説明する。
【００２１】
（第１実施形態）
［電気泳動表示装置の概要］
図１は、本発明の一実施形態（第１実施形態）に係る電気泳動表示装置１の概略的な構成例を示す図である。図１は、電気泳動表示装置１の平面図である。
電気泳動表示装置１は、表示部１１と、制御部１２を備える。
表示部１１は、縦および横（マトリクス状）に配置された画素からなる画素群からなり、本実施形態では、各画素は全辺を隔壁で区画されていて、１個の画素ごとに１個の画素領域２１を備える。それぞれの画素領域２１ごとに、分散媒とともに白色粒子および黒色粒子を含む分散液が充填されている。制御部１２は、それぞれの画素ごとに、分散液に印加する電圧を制御することにより、白色粒子を用いた白の表示または黒色粒子を用いた黒の表示が可能である。
ここでは、画素群の配列と複数の画素領域２１の配列とを一致させているが、一般的には無関係であってもよく、これについては後述する。
【００２２】
［表示部の概要］
図２は、本発明の一実施形態（第１実施形態）に係る電気泳動表示装置１の表示部１１の構成例を示す図である。図２は、表示部１１の断面側面図であり、外周の側面に位置しない一部の画素領域２１に係る部分を示してある。
なお、本実施形態では、複数の画素領域２１のうち、外周に面しない２以上の画素領域２１の構成は同じであり、また、外周に面した２以上の画素領域２１の構成は同じである。外周に面しない画素領域２１の構成と、外周に面した画素領域２１の構成とは、外周に面しないかまたは面するかに応じた相違部分以外は同じ構成である。
【００２３】
表示部１１は、第１の基板（画素基板）１０１と、第２の基板（対向基板）１０２と、接合層１０３と、隔壁１１１〜１１２と、第１の電極（画素電極）を構成する画素電極１２１Ａ、１２１Ｂ、１２２Ａ、１２３Ｂ（小画素電極）と、第２の電極（対向電極）１３１と、分散液１４１を備える。分散液１４１は、分散媒１５１と、第１の種類の複数の電気泳動粒子（本実施形態では、白色粒子）１５２と、第２の種類の複数の電気泳動粒子（本実施形態では、黒色粒子）１５３を含む。
なお、「画素基板」は「駆動基板」などと呼ばれてもよく、「対向電極」は「共通電極」などと呼ばれてもよい。
【００２４】
画素基板１０１と対向基板１０２とは、互いに対向させられて配置されている。
画素基板１０１と対向基板１０２との間において、画素基板１０１に、隔壁１１１〜１１２が設けられている。隔壁１１１〜１１２によって、仕切られた複数の画素領域２１の空間（セル）が形成されている。
画素基板１０１と対向基板１０２との間において、画素基板１０１に、画素領域２１ごとに、画素電極１２１Ａ、１２１Ｂ、１２２Ａ、１２３Ｂが設けられている。
【００２５】
ここで、本実施形態では、それぞれの画素領域２１ごとに、一対となる２個の離隔した画素電極１２１Ａ、１２１Ｂ、１２２Ａ、１２３Ｂを備える。図２の例では、隔壁１１１と隔壁１１２により挟まれた画素領域２１（ここで、「中央の画素領域２１」という。）には、画素電極１２１Ａと、画素電極１２１Ｂを備える。また、中央の画素領域２１に隣接する画素領域２１であって隔壁１１１により挟まれる画素領域２１（図２の例において、右側の画素領域２１）には、画素電極１２２Ａと、もう１個の画素電極（図示せず）を備える。また、中央の画素領域２１に隣接する画素領域２１であって隔壁１１２により挟まれる画素領域２１（図２の例において、左側の画素領域２１）には、画素電極１２３Ｂと、もう１個の画素電極（図示せず）を備える。
【００２６】
画素基板１０１と対向基板１０２との間において、対向基板１０２に、対向電極１３１が設けられている。本実施形態では、対向電極１３１は複数の画素領域２１について共通な電極となっているが、他の構成例として、対向電極１３１が画素領域２１ごとあるいは画素電極１２１Ａ、１２１Ｂ、１２２Ａ、１２３Ｂごとに分割されて設けられてもよい。なお、対向基板１０２としては例えばガラス基板が用いられてもよく、対向電極１３１としては例えばＩＴＯ（インジウム・スズ酸化物）などの電極が用いられてもよい。
【００２７】
画素基板１０１と対向基板１０２との間において、対向基板１０２に、画素基板１０１の側（本実施形態では、対向基板１０２に設けられた対向電極１３１の面）に、接合層１０３が設けられている。ここで、接合層１０３と、隔壁１１１〜１１２の先端部（対向基板１０２の側の先端部）とが接している。当該接合層１０３は、例えば、１個の層のみを有してもよく、または、２個以上の層を有してもよい。
各画素領域２１には、分散液１４１が設けられている。
【００２８】
ここで、表示部１１の外周の側面には、封止部（図示せず）が設けられている。当該封止部は、分散液１４１を封止している。なお、当該封止部は、例えば、隔壁１１１〜１１２と一体として構成されてもよい。
【００２９】
また、表示部１１は、例えば、透明接着層（図示せず）と、導光部である導光体（図示せず）と、発光部である光源（図示せず）を備えてもよい。
具体的には、対向基板１０２には、画素基板１０１の側とは反対の側に、透明接着層が設けられる。当該透明接着層には、対向基板１０２の側とは反対の側に、導光体が設けられる。当該導光体の外周の一部に、光源が設けられる。なお、当該導光体は、例えば、板状の物体（導光板）であってもよい。当該導光体は、当該光源から発せられる光を導光し、これにより、フロントライトが実現される。当該光源としては、例えば、ＬＥＤ（Ｌｉｇｈｔ  Ｅｍｉｔｔｉｎｇ  Ｄｉｏｄｅ）が用いられてもよい。
なお、ここでは透明接着層が備えられる場合を示したが、他の構成例として、透明接着層の代わりに、フレーム（枠）を備えて、当該フレームによって導光体を支持し、対向基板１０２と当該導光体との間に空気層が設けられる構成が用いられてもよい。
本実施形態では、透明接着層（または、フレーム）、導光体および光源が、備えられてもよく、または、備えられなくてもよい。
【００３０】
電気泳動表示装置１では、制御部１２が、電圧を駆動して、各画素電極１２１Ａ、１２１Ｂ、１２２Ａ、１２３Ｂに印加する電圧と、対向電極１３１に印加する電圧を制御することで、各画素領域２１に表示される色（本実施形態では、白色または黒色）を制御する。これにより、表示面における表示の内容が制御される。本実施形態では、対向基板１０２の側の面が、表示の内容を出力する表示面となる。
【００３１】
例えば、画素電極１２１Ａ、１２１Ｂ、１２２Ａ、１２３Ｂと対向電極１３１との間に、相対的に対向電極１３１の電圧が高くなるように電圧を印加する。すると、対向電極１３１から画素電極１２１Ａ、１２１Ｂ、１２２Ａ、１２３Ｂに向かう電場が生じるので、正に帯電された白色粒子１５２は画素電極１２１Ａ、１２１Ｂ、１２２Ａ、１２３Ｂの側に泳動し、一方、負に帯電された黒色粒子１５３は対向電極１３１の側に泳動する。この結果、表示面の側（対向電極１３１の側）には黒色粒子１５３が集まることになり、表示面には当該黒色粒子１５３に対応する色（黒色）が表示される。
【００３２】
逆に、画素電極１２１Ａ、１２１Ｂ、１２２Ａ、１２３Ｂと対向電極１３１との間に、相対的に画素電極１２１Ａ、１２１Ｂ、１２２Ａ、１２３Ｂの電位が高くなるように電圧を印加する。すると、画素電極１２１Ａ、１２１Ｂ、１２２Ａ、１２３Ｂから対向電極１３１に向かう電場が生じるので、負に帯電された黒色粒子１５３は画素電極１２１Ａ、１２１Ｂ、１２２Ａ、１２３Ｂの側に泳動し、一方、正に帯電された白色粒子１５２は対向電極１３１の側に泳動する。この結果、表示面の側（対向電極１３１の側）には白色粒子１５２が集まることになり、表示面には当該白色粒子１５２に対応する色（白色）が表示される。
【００３３】
ここで、本実施形態では、画素基板１０１の側に隔壁１１１〜１１２が設けられ、対向基板１０２の側に接合層１０３が設けられたが、他の構成例として、画素基板１０１の側に接合層１０３が設けられ、対向基板１０２の側に隔壁１１１〜１１２が設けられる構成が用いられてもよい。
【００３４】
また、本実施形態では、白色粒子１５２と黒色粒子１５３が用いられるが、他の構成例として、他の色に対応する粒子が用いられてもよい。
また、本実施形態では、分散液１４１に含まれる粒子として、２色（白色、黒色）に対応する２種類の粒子が用いられるが、他の構成例として、１色に対応する１種類の粒子が用いられてもよく、または、３色以上に対応する３種類以上の粒子が用いられてもよい。
例えば、赤色、緑色、青色などの顔料を用いることによって、赤色、緑色、青色などを表示する表示部１１を備える電気泳動表示装置１とすることも可能である。
【００３５】
また、本実施形態では、隔壁１１１〜１１２により形成される画素領域２１ごとの空間（セルとなる閉空間）が並べられた形状として、スクエアの形状（例えば、長方体が並べられた形状）が用いられるが、他の構成例として、ハニカムの形状（正六角柱が並べられた形状）など、他の形状が用いられてもよい。
ここで、１つの閉空間に複数の画素電極があってもよく、また、画素電極上に隔壁があってもよい。
また、本実施形態では、隔壁１１１〜１１２により画素領域２１を形成する隔壁型が用いられるが、他の構成例として、分散液を収容するマイクロカプセルにより画素領域２１を形成するカプセル型が用いられてもよい。この場合、１個の画素電極に対して複数の閉空間が存在し得る場合がある。このように画素（電極）の配列と閉空間の配列との間に必ずしも関連を持たせる必要はない。ここで、隔壁１１１〜１１２あるいはマイクロカプセルは、領域形成部の例である。
【００３６】
［画素回路の構成例］
図３は、本発明の一実施形態（第１実施形態）に係る画素回路２０１の構成例を示す図である。
当該画素回路２０１は、１個の画素（本実施形態では、１個の画素領域２１）に関する回路である。本実施形態では、それぞれの画素に関する画素回路２０１の構成および動作は同様である。制御部１２は、それぞれの画素に関する画素回路２０１ごとに、表示する色を制御する。
図３には、画素回路２０１として、第１の画素電極（本実施形態では、画素電極１２１Ａとする。）に関する回路と、第２の画素電極（本実施形態では、画素電極１２１Ｂとする。）に関する回路と、これらに共通な回路を示してある。図２に示されるように、画素電極１２１Ａと画素電極１２１Ｂは、同一の画素領域２１において、互いに隣接する画素である。
【００３７】
画素電極１２１Ａと画素電極１２１Ｂに共通な回路として、複数の画素を走査するための信号（走査信号）が伝送される走査線２１１と、データ線２３１と、選択スイッチ用のＴＦＴ（Ｔｈｉｎ  Ｆｉｌｍ  Ｔｒａｎｓｉｓｔｏｒ）３０１と、インバーター３１１と、インバーター３１２を備える。２個のインバーター３１１〜３１２の回路部分はメモリー（記憶回路）として用いられている。
画素電極１２１Ａに関する回路として、制御線（第１の制御線）２２１と、制御線（第２の制御線）２２２と、トランスファーゲート３２１と、トランスファーゲート３４１を備える。トランスファーゲート３２１は、Ｎ−ＭＯＳ（Ｎｅｇａｔｉｖｅ  Ｍｅｔａｌ  Ｏｘｉｄｅ  Ｓｅｍｉｃｏｎｄｕｃｔｏｒ）３３１と、Ｐ−ＭＯＳ（Ｐｏｓｉｔｉｖｅ  Ｍｅｔａｌ  Ｏｘｉｄｅ  Ｓｅｍｉｃｏｎｄｕｃｔｏｒ）３３２を備える。トランスファーゲート３４１は、Ｎ−ＭＯＳ３５１と、Ｐ−ＭＯＳ３５２を備える。
画素電極１２１Ｂに関する回路として、制御線（第３の制御線）２２３と、制御線（第４の制御線）２２４と、トランスファーゲート４２１と、トランスファーゲート４４１を備える。トランスファーゲート４２１は、Ｎ−ＭＯＳ４３１と、Ｐ−ＭＯＳ４３２を備える。トランスファーゲート４４１は、Ｎ−ＭＯＳ４５１と、Ｐ−ＭＯＳ４５２を備える。
なお、第１の制御線２２１と第３の制御線２２３とが対応しており、第２の制御線２２２と第４の制御線２２４とが対応している。本実施形態では、各制御線２２１〜２２４として、例えば、電源線が用いられる。
【００３８】
ここで、本実施形態では、画素電極１２１Ａに関する回路と画素電極１２１Ｂに関する回路とは、画素電極１２１Ａに関する回路における制御線２２１、２２２に印加される電圧と、画素電極１２１Ｂに関する回路における制御線２２３、２２４に印加される電圧とが異なる点を除いて、同様な構成を有し同様な動作を行う。
【００３９】
画素電極１２１Ａに関する回路を例として説明する。共通な回路についても併せて説明する。
ＴＦＴ３０１のゲートに走査線２１１が接続されており、ＴＦＴ３０１の他の一端（ソース）にデータ線２３１が接続されており、ＴＦＴ３０１の残りの一端（ドレイン）にインバーター３１１の入力端、インバーター３１２の出力端、Ｎ−ＭＯＳ３５１のゲートおよびＰ−ＭＯＳ３３２のゲートが接続されている。
また、インバーター３１１の出力端、インバーター３１２の入力端、Ｎ−ＭＯＳ３３１のゲート、Ｐ−ＭＯＳ３５２のゲートが接続されている。
また、Ｎ−ＭＯＳ３３１の他の一端（ソース）およびＰ−ＭＯＳ３３２の他の一端（ソース）が第１の制御線２２１と接続されている。また、Ｎ−ＭＯＳ３５１の他の一端（ソース）およびＰ−ＭＯＳ３５２の他の一端（ソース）が第２の制御線２２２と接続されている。
また、Ｎ−ＭＯＳ３３１の残りの一端（ドレイン）、Ｐ−ＭＯＳ３３２の残りの一端（ドレイン）、Ｎ−ＭＯＳ３５１の残りの一端（ドレイン）およびＰ−ＭＯＳ３５２の残りの一端（ドレイン）と、画素電極１２１Ａとが接続されている。
【００４０】
ここで、データ線２３１に入力されるデータは、二値（例えば、ロウレベルとハイレベル）のうちのいずれかの値である。ＴＦＴ３０１は、ゲートにハイレベルが印加されたときに、データの電位を記憶する。
画素電極１２１Ａに関する回路では、データの値が二値のうちの一方（本実施形態では、ロウレベル）である場合には、第１の制御線２２１に印加される電圧♯１が画素電極１２１Ａに印加される。一方、データの値が二値のうちの他方（本実施形態では、ハイレベル）である場合には、第２の制御線２２２に印加される電圧♯２が画素電極１２１Ａに印加される。
【００４１】
同様に、画素電極１２１Ｂに関する回路では、データの値が二値のうちの一方（本実施形態では、ロウレベル）である場合には、第３の制御線２２３に印加される電圧♯３が画素電極１２１Ｂに印加される。一方、データの値が二値のうちの他方（本実施形態では、ハイレベル）である場合には、第４の制御線２２４に印加される電圧♯４が画素電極１２１Ｂに印加される。
なお、例えば、データのハイレベル（Ｈ）としては０［ボルト］より高い所定電圧［ボルト］が用いられ、データのロウレベル（Ｌ）としては０［ボルト］が用いられる。本実施形態では、対向電極１３１にかけられる電位のうちで最低の電位を基準電位としてあり、当該基準電位をロウレベルとしてある。
【００４２】
本実施形態では、制御部１２は、１個の画素が有する画素電極１２１Ａに関する回路および画素電極１２１Ｂに関する回路において、データをロウレベルに設定することで、当該画素に黒色の表示を行うように制御し、データをハイレベルに設定することで当該画素に白色の表示を行うように制御する。
【００４３】
［画素電極および対向電極に印加される電圧の例］
図４は、本発明の一実施形態（第１実施形態）に係る画素電極（ここでは、２個の画素電極１２１Ａ、１２１Ｂ）および対向電極１３１に印加される電圧の一例を示す図である。
図４には、２個の画素電極１２１Ａ、１２１Ｂに共通な対向電極１３１（ＶＣＯＭ）に印加される電圧１００１と、黒表示の際に画素電極１２１Ａに印加される電圧１０１１（＝電圧♯１）と、黒表示の際に画素電極１２１Ｂに印加される電圧１０１２（＝電圧♯３）と、白表示の際に画素電極１２１Ａに印加される電圧１０１３（＝電圧♯２）と、白表示の際に画素電極１２１Ｂに印加される電圧１０１４（＝電圧♯４）について、電圧波形の時間変化の一例を示してある。
【００４４】
図４に示されるグラフにおいて、横軸は時刻を表わしており、縦軸はそれぞれの電圧１００１、１０１１〜１０１４ごとに電圧の大きさ（高低）を表している。
ここで、図４の例では、時刻Ｔ１〜時刻Ｔ４は、その順に進んでいく時刻を表している。時刻Ｔ１よりも時刻Ｔ４の方が後の時刻である。
また、本実施形態では、それぞれの電圧１００１、１０１１〜１０１４は、理論値としては、ハイレベル（Ｈ）である電圧（例えば、０より高い所定電圧［ボルト］）と、ロウレベル（Ｌ）である電圧（例えば、０［ボルト］）とのうちのいずれかの値に切り替えられる。なお、実際の電圧波形は、多少の歪み等があってもよい。
【００４５】
本実施形態では、時刻Ｔ１から時刻Ｔ２までの期間を、各画素電極１２１Ａ、１２１Ｂの表示を制御する駆動を行うための準備の期間（準備期間）としてある。また、本実施形態では、時刻Ｔ２から時刻Ｔ４までの期間を、各画素電極１２１Ａ、１２１Ｂの表示を制御する駆動を行う単位の期間（駆動単位期間）としてある。制御部１２は、準備期間およびそれに続く駆動単位期間ごとに、画素の表示を制御する。ここで、１回の準備期間に対して、駆動単位期間ごとの電圧制御は、例えば、１回の期間のみ行われてもよく、または、複数回の期間にわたって繰り返して行われてもよい。また、準備期間および駆動単位期間の組み合わせごとの電圧制御が、複数回の期間にわたって繰り返して行われてもよい。このように、準備期間は、１回の駆動単位期間ごとに設けられてもよく、または、複数回の駆動単位期間の途中に設けられてもよい。
本実施形態では、時刻Ｔ１から時刻Ｔ２までの準備期間は、所定の長さ（ここで、長さＬ１と呼ぶ。）である。
本実施形態では、駆動単位期間において、時刻Ｔ２から時刻Ｔ３までの期間と、時刻Ｔ３から時刻Ｔ４までの期間とは、同じ長さ（ここで、長さＬ２と呼ぶ。）である。また、本実施形態では、長さＬ１よりも長さＬ２の方が長い。
【００４６】
対向電極１３１に印加される電圧１００１は、駆動単位期間において、時刻Ｔ２から時刻Ｔ３まではハイレベルであり、時刻Ｔ３から時刻Ｔ４まではロウレベルである。
また、対向電極１３１の電圧１００１は、準備期間において、時刻Ｔ１から時刻Ｔ２まではハイインピーダンス（Ｈｉ−Ｚ）となるように制御される。本実施形態では、制御部１２は、対向電極１３１をフロート状態にするように制御することで、対向電極１３１を電気的に絶縁された状態とし、これにより、画素電極１２１Ａ、１２１Ｂに対して対向電極１３１をハイインピーダンスの状態とする。
【００４７】
黒表示の際に画素電極１２１Ａに印加される電圧１０１１は、準備期間において、時刻Ｔ１から時刻Ｔ２までロウレベルである。当該電圧１０１１は、駆動単位期間において、時刻Ｔ２から時刻Ｔ４までロウレベルである。
黒表示の際に画素電極１２１Ｂに印加される電圧１０１２は、準備期間において、時刻Ｔ１から時刻Ｔ２までハイレベルである。当該電圧１０１２は、駆動単位期間において、時刻Ｔ２から時刻Ｔ４までロウレベルである。
白表示の際に画素電極１２１Ａに印加される電圧１０１３は、準備期間において、時刻Ｔ１から時刻Ｔ２までロウレベルである。当該電圧１０１３は、駆動単位期間において、時刻Ｔ２から時刻Ｔ４までハイレベルである。
白表示の際に画素電極１２１Ｂに印加される電圧１０１４は、準備期間において、時刻Ｔ１から時刻Ｔ２までハイレベルである。当該電圧１０１３は、駆動単位期間において、時刻Ｔ２から時刻Ｔ４までハイレベルである。
【００４８】
ここで、画素のメモリーの状態（データの状態）がロウレベルであるときについて説明する。
このとき、当該画素は黒表示となり、当該画素の画素電極１２１Ａには制御線２２１が導通されて電圧１０１１が印加され、当該画素の画素電極１２１Ｂには制御線２２３が導通されて電圧１０１２が印加される。この場合、時刻Ｔ１から時刻Ｔ２までは、対向電極１３１がハイインピーダンスとなり、画素電極１２１Ａの電圧はロウレベルとなり、画素電極１２１Ｂの電圧はハイレベルとなる。すると、画素電極１２１Ａと画素電極１２１Ｂとの間に電位差が発生する。具体的には、画素電極１２１Ａに対して画素電極１２１Ｂの方が正電圧となる。
なお、この場合、当該画素について、時刻Ｔ２から時刻Ｔ３まで黒表示のための粒子の移動が発生し、時刻Ｔ３から時刻Ｔ４までは粒子の移動が停止する。
【００４９】
また、画素のメモリーの状態（データの状態）がハイレベルであるときについて説明する。
このとき、当該画素は白表示となり、当該画素の画素電極１２１Ａには制御線２２２が導通されて電圧１０１３が印加され、当該画素の画素電極１２１Ｂには制御線２２４が導通されて電圧１０１４が印加される。この場合、時刻Ｔ１から時刻Ｔ２までは、対向電極１３１がハイインピーダンスとなり、画素電極１２１Ａの電圧はロウレベルとなり、画素電極１２１Ｂの電圧はハイレベルとなる。すると、画素電極１２１Ａと画素電極１２１Ｂとの間に電位差が発生する。具体的には、画素電極１２１Ａに対して画素電極１２１Ｂの方が正電圧となる。
なお、この場合、当該画素について、時刻Ｔ２から時刻Ｔ３までは粒子の移動が停止し、時刻Ｔ３から時刻Ｔ４まで白表示のための粒子の移動が発生する。
【００５０】
ここで、図４の例では、準備期間と駆動単位期間とを区別したが、両者を合わせた区間が一連の期間として用いられてもよい。図４の例では、駆動単位期間の前に準備期間が設けられたが、他の構成例として、駆動単位期間の内部に準備期間が設けられてもよい。また、図４の例では、黒表示の場合と白表示の場合とで共通の配置で準備期間が設けられたが、他の構成例として、黒表示の場合と白表示の場合とで異なる配置でそれぞれの準備期間が設けられてもよい。
例えば、黒表示については、黒色への書き換え期間（図４の例では、時刻Ｔ２から時刻Ｔ３までの期間）のうちの最期よりも前のタイミングに、準備期間が設けられてもよい。なお、黒色への書き換え期間の初めの位置に準備期間が設けられると、初期のタイミングで粒子の移動を円滑にすることを図ることが可能である。
同様に、例えば、白表示については、白色への書き換え期間（図４の例では、時刻Ｔ３から時刻Ｔ４までの期間）のうちの最期よりも前のタイミングに、準備期間が設けられてもよい。なお、白色への書き換え期間の初めの位置に準備期間が設けられると、初期のタイミングで粒子の移動を円滑にすることを図ることが可能である。
【００５１】
ここで、図４の例では、画素電極１２１Ａについて、黒表示の際に電圧１０１１（電圧♯１）を使用し、白表示の際に電圧１０１３（電圧♯２）を使用し、また、画素電極１２１Ｂについて、黒表示の際に電圧１０１２（電圧♯３）を使用し、白表示の際に電圧１０１４（電圧♯４）を使用した。
他の構成例として、一方の画素電極１２１Ａに印加される電圧１０１１、１０１３と他方の画素電極１２１Ｂに印加される電圧１０１２、１０１４とが互いに逆であってもよい。
また、一方の画素電極１２１Ａに印加される電圧と他方の画素電極１２１Ｂに印加される電圧との組み合わせが、例えば、すべての画素について同じであってもよく、または、画素ごとに異なってもよい。具体例として、一部の画素について、一方の画素電極１２１Ａに電圧１０１１、１０１３が印加され、他方の画素電極１２１Ｂに電圧１０１２、１０１４が印加され、また、他の画素について、一方の画素電極１２１Ａに電圧１０１２、１０１４が印加され、他方の画素電極１２１Ｂに電圧１０１１、１０１３が印加される構成が用いられてもよい。
【００５２】
他の構成例として、制御部１２は、画素電極１２１Ａと画素電極１２１Ｂとで、２つの電圧の第１の組み合わせ（電圧♯１および電圧♯２）と、２つの電圧の第２の組み合わせ（電圧♯３および電圧♯４）とを、互いに同期させて、それぞれの画素電極１２１Ａ、１２１Ｂに異なる組み合わせを使用するように切り替えてもよい。つまり、制御部１２は、画素電極１２１Ａに第１の組み合わせを使用するときには、画素電極１２１Ｂに第２の組み合わせを使用するように制御し、また、画素電極１２１Ａに第２の組み合わせを使用するときには、画素電極１２１Ｂに第１の組み合わせを使用するように制御する。この場合、第１の組み合わせと第２の組み合わせとの切り替えは、例えば、それぞれの電圧が印加される制御線を切り替えることで行われてもよく、または、制御線の切り替えを行う代わりに、それぞれの制御線に印加される電圧を切り替えることで行われてもよい。
【００５３】
他の構成例として、電圧１０１１にハイレベルの期間（電圧１０１２のハイレベルとは異なる期間）を設けて、電圧１０１１と電圧１０１２とで、準備期間および駆動単位期間にわたってハイレベルとなる期間の長さを一致させてもよい。具体例として、電圧１０１１について、時刻Ｔ３よりも（時刻Ｔ２−時刻Ｔ１）だけ前の時刻（図示せず）から時刻Ｔ３までハイレベルにしてもよい。
同様に、電圧１０１４にロウレベルの期間（電圧１０１３のロウレベルとは異なる期間）を設けて、電圧１０１３と電圧１０１４とで、準備期間および駆動単位期間にわたってハイレベルとなる期間の長さを一致させてもよい。具体例として、電圧１０１４について、時刻Ｔ３から当該時刻Ｔ３よりも（時刻Ｔ２−時刻Ｔ１）だけ後の時刻（図示せず）までロウレベルにしてもよい。
【００５４】
また、制御部１２は、画素について、任意の表示の制御（色の制御）を行ってもよい。
例えば、制御部１２は、画素に、中間色（例えば、灰色）を表示するように制御してもよい。
なお、本実施形態では、それぞれの画素ごとに画素領域２１が形成された場合を示したが、他の構成例として、２個以上の所定個数の画素ごとに画素領域２１が形成されてもよい。
【００５５】
準備期間における粒子の移動について説明する。
準備期間では、対向電極１３１がハイインピーダンスにされ、電圧１００１がロウレベルにされ、電圧１０１２がハイレベルにされ、電圧１０１３がロウレベルにされ、電圧１０１４がハイレベルにされる。
例えば、画素のメモリー状態がハイレベルからロウレベルに変化する場合、黒色粒子１５３は、画素電極１２１Ａ、１２１Ｂの側に偏在している状態から移動する。具体的には、一方の画素電極１２１Ａにロウレベルが印加され、他方の画素電極１２１Ｂにハイレベルが印加されることから、画素電極１２１Ａ、１２１Ｂの近傍にある黒色粒子１５３は当該他方の画素電極１２１Ｂの側に偏るように移動する。
また、例えば、画素のメモリー状態がロウレベルからハイレベルに変化する場合、白色粒子１５２は、画素電極１２１Ａ、１２１Ｂの側に偏在している状態から移動する。このとき、一方の画素電極１２１Ａにロウレベルが印加され、他方の画素電極１２１Ｂにハイレベルが印加されることから、画素電極１２１Ａ、１２１Ｂの近傍にある白色粒子１５２は当該一方の画素電極１２１Ａの側に偏るように移動する。
このように、準備期間は、粒子（白色粒子１５２あるいは黒色粒子１５３）が２個の画素電極１２１Ａ、１２１Ｂの間で水平に移動する期間（水平移動期間）である。
【００５６】
駆動単位期間における粒子の移動について説明する。
駆動単位期間では、対向電極１３１がハイレベルの後にロウレベルにされる。また、電圧１００１がロウレベルにされ、電圧１０１２がロウレベルにされ、電圧１０１３がハイレベルにされ、電圧１０１４がハイレベルにされる。
例えば、画素のメモリー状態がハイレベルからロウレベルに変化する場合、黒色粒子１５３は、準備期間において他方の画素電極１２１Ｂの側に偏在している状態から、対向電極１３１にハイレベルが印加される期間に、対向電極１３１の側に移動する。この場合、準備期間において黒色粒子１５３の分布が偏っていることから、駆動単位期間に分散媒１５１と粒子（白色粒子１５２、黒色粒子１５３）の流動が容易に発生して、粒子の移動が速くなる。
また、例えば、画素のメモリー状態がロウレベルからハイレベルに変化する場合、白色粒子１５２は、準備期間において一方の画素電極１２１Ａの側に偏在している状態から、対向電極１３１にロウレベルが印加される期間に、対向電極１３１の側に移動する。この場合、準備期間において白色粒子１５２の分布が偏っていることから、駆動単位期間に分散媒１５１と粒子（白色粒子１５２、黒色粒子１５３）の流動が容易に発生して、粒子の移動が速くなる。
【００５７】
［駆動単位期間における粒子の移動の例］
図５は、本発明の一実施形態（第１実施形態）に係る駆動単位期間における粒子の移動の一例を示す図である。
図５の例では、黒表示の場合における粒子の移動の一例を示してある。
具体的には、準備期間において、対向電極１３１がハイインピーダンスとなり、画素電極１２１Ａにロウレベルが印加され、画素電極１２１Ｂにハイレベルが印加される。これにより、準備期間において、画素電極１２１Ａの方が画素電極１２１Ｂよりも電位が低い状態となり、黒色粒子１５３が画素電極１２１Ｂの方へ引き寄せられて移動する。
その後、駆動単位期間において、対向電極１３１にハイレベルが印加され、２個の画素電極１２１Ａ、１２１Ｂにロウレベルが印加されると、黒色粒子１５３は方向Ｐ１に移動し、分散媒１５１および白色粒子１５２は方向Ｐ２に移動する。図５に示されるように、これらの方向Ｐ１、Ｐ２が拮抗しないことから、粒子の移動が円滑になる。
【００５８】
［対比技術に係る駆動単位期間における粒子の移動の例］
図１１は、対比技術に係る駆動単位期間における粒子の移動の一例を示す図である。対比技術では、各画素に１個の画素電極４０１１が設けられる。また、対比技術では、準備期間は設けられない。
図１１の例では、黒表示の場合における粒子の移動の一例を示してある。
具体的には、黒色粒子４０２１が画素電極４０１１に引き寄せられている状態から黒表示を行う場合を示す。この場合、駆動単位期間において、対向電極４０１２にハイレベルが印加され、画素電極４０１１にロウレベルが印加されると、黒色粒子４０２１は方向Ｐ１１に移動し、分散媒および白色粒子は方向Ｐ１２に移動する。図１１に示されるように、これらの方向Ｐ１１、Ｐ１２が拮抗することから、粒子の移動が妨げられて、円滑な移動が実現されない。
本実施形態では、このような問題を解消した。
【００５９】
［複数の画素の電圧制御の例］
上記では、図３および図４を参照して、１個の画素について電圧制御を行う場合について説明した。
ここで、通常、表示部１１は多数の画素（多数の画素領域２１）を有する。本実施形態では、表示部１１が有する多数の画素のそれぞれに、制御部１２により電圧制御を行う。
なお、それぞれの画素ごとに設けられる一対の画素電極（例えば、一対の画素電極１２１Ａ、１２１Ｂなど）は、例えば、互いに同じ形状を有してもよく、または、互いに異なる形状を有してもよい。
【００６０】
［画素電極および対向電極に印加される電圧の他の例］
図６は、本発明の一実施形態（第１実施形態）に係る画素電極（ここでは、画素電極１２１Ａ、１２１Ｂ）および対向電極１３１に印加される電圧の他の一例を示す図である。
図６には、２個の画素電極１２１Ａ、１２１Ｂに共通な対向電極１３１（ＶＣＯＭ）に印加される電圧１１０１と、黒表示の際に画素電極１２１Ａに印加される電圧１１１１（＝電圧♯１）と、黒表示の際に画素電極１２１Ｂに印加される電圧１１１２（＝電圧♯３）と、白表示の際に画素電極１２１Ａに印加される電圧１１１３（＝電圧♯２）と、白表示の際に画素電極１２１Ｂに印加される電圧１１１４（＝電圧♯４）について、電圧波形の時間変化の一例を示してある。
【００６１】
図６に示されるグラフにおいて、横軸は時刻を表わしており、縦軸はそれぞれの電圧１１０１、１１１１〜１１１４ごとに電圧の大きさ（高低）を表している。
また、図６の例では、時刻Ｔ１〜時刻Ｔ４、準備期間および駆動単位期間は、図４の例の場合と同じである。
【００６２】
図６の例では、対向電極１３１に印加される電圧１１０１と、白表示の際に画素電極１２１Ａに印加される電圧１１１３と、白表示の際に画素電極１２１Ｂに印加される電圧１１１４は、それぞれ、図４の例における対応する電圧（電圧１００１、電圧１０１３、電圧１０１４）と同じ波形を有する。
また、図６の例では、黒表示の際に画素電極１２１Ａに印加される電圧１１１１と、黒表示の際に画素電極１２１Ｂに印加される電圧１１１２は、共に、準備期間および駆動単位期間において、常にロウレベルである。
【００６３】
図６の例における電圧制御では、白表示については粒子の移動の円滑化が図られる一方、黒表示については粒子の移動の円滑化が図られない。
このため、例えば、表示部１１において、図４の例における電圧制御が適用されない状態では、白表示から黒表示への変化と比べて、黒表示から白表示への変化が遅い電気泳動の特性を有する場合に、図６の例における電圧制御を適用することで、黒表示から白表示への変化を速めることができる。これにより、白表示から黒表示への変化の速さと、黒表示から白表示への変化の速さとを近付ける（例えば、揃える）ように調整することが可能である。
また、図６の例では、黒表示を行うための画素電極１２１Ａの電圧１１１１の制御線と、黒表示を行うための画素電極１２１Ｂの電圧１１１２の制御線とを共通化することができ、画素回路のレイアウトを簡易化することが可能である。
【００６４】
ここで、図６の例とは逆に、図４の例における黒表示を行うための画素電極１２１Ａの電圧１０１１および黒表示を行うための画素電極１２１Ｂの電圧１０１２を使用する一方、白表示を行うための画素電極１２１Ａの電圧および白表示を行うための画素電極１２１Ｂの電圧を共に準備期間および駆動単位期間において常にハイレベルにすることが可能である。この場合、黒表示については粒子の移動の円滑化が図られる一方、白表示については粒子の移動の円滑化が図られない。これにより、図６の例と同様な効果（白色と黒色とを入れ替えた効果）を得ることができる。
【００６５】
このように、例えば、表示部１１において、白表示から黒表示への変化の速さと黒表示から白表示への変化の速さとが異なる場合に、両者の変化の速さを近付ける（例えば、揃える）ように調整することが可能である。これにより、例えば、表示の更新時における見栄えを良くすることなどが可能である。
【００６６】
［画素回路の他の構成例］
図７は、本発明の一実施形態（第１実施形態）に係る画素回路５０１の他の構成例を示す図である。
図７は、一方の画素電極１２１Ａに関する画素回路５０１を示してある。他方の画素電極１２１Ｂに関する画素回路も同様である。
画素回路５０１は、走査線６１１と、データ線６２１と、データ線６２２と、ＴＦＴ７０１と、トランジスター７１１と、コンデンサー７２１と、ＴＦＴ８０１と、トランジスター８１１と、コンデンサー８２１を備える。
図７の例では、トランジスター７１１およびトランジスター８１１は、Ｎ−ＭＯＳである。
【００６７】
ＴＦＴ７０１のゲートおよびＴＦＴ８０１のゲートに走査線６１１が接続されている。
ＴＦＴ７０１のソースにデータ線６２１が接続されている。ＴＦＴ８０１のソースにデータ線６２２が接続されている。
ＴＦＴ７０１のドレインと、トランジスター７１１のゲートと、コンデンサー７２１の一端とが接続されている。コンデンサー７２１の他端は接地されている。
ＴＦＴ８０１のドレインと、トランジスター８１１のゲートと、コンデンサー８２１の一端とが接続されている。コンデンサー８２１の他端は接地されている。
トランジスター７１１のソースに電圧♯１が印加されている。トランジスター８１１のソースに電圧♯２が印加されている。
トランジスター７１１のドレインと、トランジスター８１１のドレインと、画素電極１２１Ａとが接続されている。
【００６８】
データ線６２１には、データが入力される。データは、二値（例えば、ロウレベルとハイレベル）のうちのいずれかの値である。データ線６２２には、当該データのハイレベルとロウレベルとを反転させた値が入力される。
図７の例における画素回路５０１では、データがハイレベル（例えば、１）であるときに、電圧♯１が画素電極１２１Ａの画素電極に印加され、また、当該データがロウレベル（例えば、０）であるときに、電圧♯２が画素電極１２１Ａに印加される。
なお、他の構成例として、トランジスター７１１およびトランジスター８１１としてＰ−ＭＯＳが用いられて、電圧♯１と電圧♯２とが逆に配置されてもよい。
【００６９】
［対比技術の説明］
ここで、本実施形態に係る電気泳動表示装置１の表示部１１に対する対比技術の例を示す。
対比技術の説明において、画素Ａと画素Ｂは互いに隣接する画素であるとする。
図１２は、対比技術に係る画素回路３００１の構成例を示す図である。
画素回路３００１は、画素Ａと画素Ｂに共通な回路として、走査線３０１１を備える。
画素Ａに関する回路として、制御線３０２１と、制御線３０２２と、データ線３０３１と、選択スイッチ用のＴＦＴ３１０１と、インバーター３１１１と、インバーター３１１２と、トランスファーゲート３１２１と、トランスファーゲート３１４１を備える。トランスファーゲート３１２１は、Ｎ−ＭＯＳ３１３１と、Ｐ−ＭＯＳ３１３２を備える。トランスファーゲート３１４１は、Ｎ−ＭＯＳ３１５１と、Ｐ−ＭＯＳ３１５２を備える。２個のインバーター３１１１〜３１１２の回路部分はメモリーとして用いられている。
画素Ｂに関する回路として、制御線３０２３と、制御線３０２４と、データ線３０３２と、選択スイッチ用のＴＦＴ３２０１と、インバーター３２１１と、インバーター３２１２と、トランスファーゲート３２２１と、トランスファーゲート３２４１を備える。トランスファーゲート３２２１は、Ｎ−ＭＯＳ３２３１と、Ｐ−ＭＯＳ３２３２を備える。トランスファーゲート３２４１は、Ｎ−ＭＯＳ３２５１と、Ｐ−ＭＯＳ３２５２を備える。２個のインバーター３２１１〜３２１２の回路部分はメモリーとして用いられている。
【００７０】
ここで、図１２の例における画素回路３００１では、図３に示される画素回路２０１と比べて、それぞれの画素Ａ、Ｂごとに１個の画素電極が備えられる点が異なっている。
また、図１２の例における画素回路３００１では、画素Ａに関する回路における制御線３０２１と、画素Ｂに関する回路における制御線３０２３とに、共通の電圧♯１１が印加され、また、画素Ａに関する回路における制御線３０２２と、画素Ｂに関する回路における制御線３０２４とに、共通の電圧♯１２が印加される。
【００７１】
図１３は、対比技術に係る画素電極および対向電極に印加される電圧の一例を示す図である。
図１３の例では、画素Ａと画素Ｂとで、同じ色（本例では、白色、または、黒色）を表示するときに印加される電圧は共通である。
図１３には、対向電極（ＶＣＯＭ）に印加される電圧３３０１と、黒表示の際に画素電極に印加される電圧３３１１（＝電圧♯１１）と、白表示の際に画素電極に印加される電圧３３１２（＝電圧♯１２）について、電圧波形の時間変化の一例を示してある。
【００７２】
図１３に示されるグラフにおいて、横軸は時刻を表わしており、縦軸はそれぞれの電圧３３０１、３３１１〜３３１２ごとに電圧の大きさ（高低）を表している。
ここで、図１３の例では、時刻Ｔ２１〜時刻Ｔ２３は、その順に進んでいく時刻を表している。時刻Ｔ２１よりも時刻Ｔ２３の方が後の時刻である。
対向電極に印加される電圧３３０１は、駆動単位期間において、時刻Ｔ２１から時刻Ｔ２２までハイレベルであり、時刻Ｔ２２から時刻Ｔ２３までロウレベルである。当該電圧３３０１の波形は、デューティが５０パーセントである矩形波である。
黒表示の際に画素電極に印加される電圧３３１１は、駆動単位期間において、常にロウレベルである。
白表示の際に画素電極に印加される電圧３３１２は、駆動単位期間において、常にハイレベルである。
なお、図１３の例における時刻Ｔ２１、時刻Ｔ２２、時刻Ｔ２３は、それぞれ、図４の例における時刻Ｔ２、時刻Ｔ３、時刻Ｔ４に対応する。また、図１３の例では、準備期間は設けられていない。
【００７３】
対比技術に係る画素回路３００１では、黒表示を行う際、または、白表示を行う際のうちの一方または両方で、粒子の移動が遅く、表示の切り替えが遅い場合があった。
本実施形態に係る電気泳動表示装置１の表示部１１では、上記のような対比技術に係る電気泳動表示装置の表示部において発生する問題を解消することが可能である。
【００７４】
［第１実施形態のまとめ］
以上のように、本実施形態に係る電気泳動表示装置１では、表示部１１において、表示の内容（表示の色）を書き換えるときに、１個の画素に設けられた２個の画素電極（例えば、画素電極１２１Ａ、画素電極１２１Ｂ）のそれぞれに印加する電圧（対向電極１３１に対する電位）が異なる期間を設けた。これにより、表示部１１において、１個の画素に設けられた２個の画素電極の間で電場が生じる期間を発生させることで、帯電した粒子（白色粒子１５２、黒色粒子１５３）を偏在させることができ、これにより、帯電した粒子と分散媒１５１の滑らかな流動を生じさせて、粒子の移動を速めることができる。
【００７５】
具体例として、本実施形態に係る電気泳動表示装置１では、表示部１１において、次のような構成とした。
すなわち、１個の画素に、２個の分割された画素電極（例えば、画素電極１２１Ａ、画素電極１２１Ｂ）を備える。そして、表示の書き換えが行われる時に、分割された画素電極１２１Ａ、１２１Ｂに異なる電圧（対向電極１３１との電位差）を与えることで、当該画素のなかで面方向（本実施形態では、画素基板１０１の面に対して平行な面）における粒子の密度を不均一にすることができる。これにより、この面の法線方向の電場がかけられたときに、帯電した粒子（白色粒子１５２、黒色粒子１５３）の移動の拮抗状態を生じさせずに、分散媒１５１と粒子の流動を生じさせて、粒子の移動を速めることができる。
【００７６】
本実施形態では、それぞれの画素は、メモリーと、第１の画素電極（例えば、画素電極１２１Ａ）と、第２の画素電極（例えば、画素電極１２１Ｂ）を備える。当該画素では、メモリーの状態（データの値）に応じて、第１の制御線（図３の例では、制御線２２１）および第２の制御線（図３の例では、制御線２２２）である２個の制御線（２個の異なる電圧）のうちの一方を第１の画素電極と接続するとともに、第３の制御線（図３の例では、制御線２２３）および第４の制御線（図３の例では、制御線２２４）である２個の制御線（２個の異なる電圧）のうちの一方を第２の画素電極と接続する。そして、表示の書き換え時に、第１の制御線と第３の制御線に印加する電圧（対向電極１３１に対する電位）が互いに異なる期間と、第２の制御線と第４の制御線に印加する電圧（対向電極１３１に対する電位）が互いに異なる期間とのうちの少なくとも一方の期間を設けた。
【００７７】
以上のように、本実施形態に係る電気泳動表示装置１では、表示部１１において、表示色の変更を円滑に行うことができる。
例えば、表示部１１において、それぞれの画素のメモリーの状態（色を決めるデータの値）が変更されるときにおいて、当該画素に設けられた２個の画素電極の間で電位（対向電極１３１に対する電位）が異なる期間が生じる。これにより、表示部１１において、粒子の流れを円滑化することができ、例えば、表示の書き換えを高速応答にすることができる。
このように、本実施形態に係る電気泳動表示装置１では、表示部１１において、それぞれの画素ごとに、一対の画素電極の間に電場を生じさせることで、一方の画素電極に粒子を偏在させることにより、当該画素の面に対する法線方向の電場で表示を切り替える際に、粒子および分散媒の流動を容易化することができる。
【００７８】
また、本実施形態では、制御部１２が表示部１１の各画素の画素電極に印加する電圧を制御する電気泳動表示装置１を示したが、これに限られない。例えば、制御部１２の機能を備えた制御装置が実施されてもよく、または、制御部１２が表示部１１を駆動する方法と同様な方法を実行する駆動方法が実施されてもよい。
【００７９】
（第２実施形態）
図８〜図１０を参照して、本発明の実施形態に係る電子機器の概略的な構成例を示す。本実施形態では、以上の実施形態に係る電気泳動表示装置（第１実施形態に係る電気泳動表示装置１）を適用した電子機器の具体例を示す。
【００８０】
図８は、本発明の一実施形態（第２実施形態の第１の例）に係る電子機器の概略的な構成例を示す図である。
具体的には、図８は、電子機器の一例である電子ブック１５０１を示す斜視図である。
電子ブック１５０１は、ブック形状のフレーム１５１１と、以上の実施形態に係る電気泳動表示装置１が適用された表示部１５１２と、操作部１５１３を備える。
【００８１】
図９は、本発明の一実施形態（第２実施形態の第２の例）に係る電子機器の概略的な構成例を示す図である。
具体的には、図９は、電子機器の一例である腕時計１５５１を示す斜視図である。
腕時計１５５１は、以上の実施形態に係る電気泳動表示装置１が適用された表示部１５６１を備える。
【００８２】
図１０は、本発明の一実施形態（第２実施形態の第３の例）に係る電子機器の概略的な構成例を示す図である。
具体的には、図１０は、電子機器の一例である電子ペーパー１５７１を示す斜視図である。
電子ペーパー１５７１は、紙と同様の質感および柔軟性を有するリライタブルシートで構成される本体部１５８１と、以上の実施形態に係る電気泳動表示装置１が適用された表示部１５８２を備える。
【００８３】
なお、以上の実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００８４】
以上のように、本実施形態に係る電子機器では、以上の実施形態に係る電気泳動表示装置１と同様な効果を得ることができる。
【００８５】
［以上の実施形態のまとめ］
一構成例として、互いに対向させられた第１の基板（図２の例では、画素基板１０１）および第２の基板（図２の例では、対向基板１０２）と、第１の基板に設けられた第１の電極（図２の例では、画素電極１２１Ａ、１２１Ｂ、１２２Ａ、１２３Ｂ）と、第２の基板に設けられた第２の電極（図２の例では、対向電極１３１）と、第１の基板と第２の基板との間に複数の領域（セル）を形成する領域形成部（図２の例では、隔壁１１１〜１１２であり、他の例として、マイクロカプセル）と、第１の電極と第２の電極との間に設けられた粒子（図２の例では、白色粒子１５２、黒色粒子１５３）および分散媒（図２の例では、分散媒１５１）を含む分散液（図２の例では、分散液１４１）と、第１の電極に電圧を印加する制御部（図１の例では、制御部１２）と、を備え、第１の電極は、画素ごとに複数の電極（例えば、１個の画素に対して、画素電極１２１Ａ、１２１Ｂ）を有し、制御部は、画素ごとに、第１の電極が有する複数の電極のうちのいずれかの電極に粒子を偏在させた後に表示対象の色を表示させる制御を行う、電気泳動表示装置（実施形態では、電気泳動表示装置１）である。
一構成例として、電気泳動表示装置において、画素ごとに、第１の電極が、複数の電極として２個の電極を有する（図２の例）。
一構成例として、電気泳動表示装置において、制御部は、第２の電極をフロート状態として、第１の電極が有する複数の電極のうちのいずれかの電極に粒子を偏在させる（図４の例、図６の例）。
一構成例として、電気泳動表示装置において、制御部は、第１の電極が有する複数の電極に、それぞれ異なる波形を有する電圧を印加する（図４の例、図６の例）。
一構成例として、電気泳動表示装置において、制御部は、表示の書き換えの開始時に、第１の電極が有する複数の電極に、それぞれ異なる波形を有する電圧を印加する（図４の例、図６の例）。
【００８６】
一構成例として、電気泳動表示装置において、画素ごとに、記憶回路（図３の例では、インバーター３１１、３１２）と、複数の電極である一対の電極（図３の例では、画素電極１２１Ａ、１２１Ｂ）と、記憶回路の状態に応じて一方が導通し他方が遮断する一対の第１のスイッチ回路（図３の例では、一対のトランスファーゲート３２１、３４１）と、記憶回路の状態に応じて一方が導通し他方が遮断する一対の第２のスイッチ回路（図３の例では、一対のトランスファーゲート４２１、４４１）と、を備え、一対の第１のスイッチ回路の一方の端子が共に一対の電極のうちの一方（図３の例では、画素電極１２１Ａ）と接続され、他方の端子のそれぞれが第１の制御線（図３の例では、第１の制御線２２１）と第２の制御線（図３の例では、第２の制御線２２２）のそれぞれと接続されており、一対の第２のスイッチ回路の一方の端子が共に一対の電極のうちの他方（図３の例では、画素電極１２１Ｂ）と接続され、他方の端子のそれぞれが第３の制御線（図３の例では、第３の制御線２２３）と第４の制御線（図３の例では、第４の制御線２２４）のそれぞれと接続されている。
【００８７】
一構成例として、電気泳動表示装置において、第１の制御線と第２の制御線とのうちの一方と、第３の制御線と第４の制御線とのうちの一方とが共通である（図６の例に対応する構成例）。なお、第１の制御線と第２の制御線とのうちの一方は任意の方であってもよく、また、第３の制御線と第４の制御線とのうちの一方は任意の方であってもよい。
【００８８】
一構成例として、上記のような電気泳動表示装置を備える電子機器（例えば、図８〜図１０の例）である。
一構成例として、互いに対向させられた第１の基板および第２の基板と、第１の基板に設けられた第１の電極と、第２の基板に設けられた第２の電極と、第１の基板と第２の基板との間に複数の領域を形成する領域形成部と、第１の電極と第２の電極との間に設けられた粒子および分散媒を含む分散液と、を備え、第１の電極は、画素ごとに複数の電極を有する電気泳動表示装置を制御する制御装置であって、画素ごとに、第１の電極が有する複数の電極のうちのいずれかの電極に粒子を偏在させた後に表示対象の色を表示させる制御を行う、制御装置（例えば、制御部１２の機能と同様な機能を有する装置）である。
一構成例として、互いに対向させられた第１の基板および第２の基板と、第１の基板に設けられた第１の電極と、第２の基板に設けられた第２の電極と、第１の基板と第２の基板との間に複数の領域を形成する領域形成部と、第１の電極と第２の電極との間に設けられた粒子および分散媒を含む分散液と、を備え、第１の電極は、画素ごとに複数の電極を有する電気泳動表示装置を駆動する駆動方法であって、画素ごとに、第１の電極が有する複数の電極のうちのいずれかの電極に粒子を偏在させた後に表示対象の色を表示させる制御を行う、駆動方法（例えば、制御部１２により行われる駆動方法と同様な駆動方法）である。
【００８９】
なお、以上に説明した装置等（例えば、制御部１２、制御装置、電子機器）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００９０】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【００９１】
以上、この発明の実施形態について図面を参照して詳述してきたが、具体的な構成はこの実施形態に限られるものではなく、この発明の要旨を逸脱しない範囲の設計等も含まれる。
【符号の説明】
【００９２】
１…電気泳動表示装置、１１、１５１２、１５６１、１５８２…表示部、１２…制御部、２１…画素領域、１０１…画素基板、１０２…対向基板、１０３…接合層、１１１〜１１２…隔壁、１２１Ａ、１２１Ｂ、１２２Ａ、１２３Ｂ、４０１１…画素電極、１３１、４０１２…対向電極、１４１…分散液、１５１…分散媒、１５２…白色粒子、１５３、４０２１…黒色粒子、２０１、５０１、３００１…画素回路、２１１、６１１、３０１１…走査線、２２１〜２２４、３０２１〜３０２４…制御線、２３１〜２３２、６２１〜６２２、３０３１〜３０３２…データ線、３０１、７０１、８０１、３１０１、３２０１…ＴＦＴ、３１１〜３１２、３１１１〜３１１２、３２１１〜３２１２…インバーター、３２１、３４１、４２１、４４１、３１２１、３１４１、３２２１、３２４１…トランスファーゲート、３３１、３５１、４３１、４５１、３１３１、３１５１、３２３１、３２５１…Ｎ−ＭＯＳ、３３２、３５２、４３２、４５２、３１３２、３１５２、３２３２、３２５２…Ｐ−ＭＯＳ、７１１、８１１…トランジスター、７２１、８２１…コンデンサー、１００１、１０１１〜１０１４、１１０１、１１１１〜１１１４、３３０１、３３１１〜３３１２…電圧、１５０１…電子ブック、１５１１…フレーム、１５１３…操作部、１５５１…腕時計、１５７１…電子ペーパー、１５８１…本体部、Ｐ１〜Ｐ２、Ｐ１１〜Ｐ１２…方向
【図１】
2017187626.tif 000003
【図２】
2017187626.tif 000004
【図３】
2017187626.tif 000005
【図４】
2017187626.tif 000006
【図５】
2017187626.tif 000007
【図６】
2017187626.tif 000008
【図７】
2017187626.tif 000009
【図８】
2017187626.tif 000010
【図９】
2017187626.tif 000011
【図１０】
2017187626.tif 000012
【図１１】
2017187626.tif 000013
【図１２】
2017187626.tif 000014
【図１３】
2017187626.tif 000015